(57)【要約】【課題】  ランプ組立体を具備した食器洗浄機を提供する。【解決手段】  ランプ組立体は、ランプを収容し、内側ケースの外側から設置穴に配置されるランプブラケットと、内側ケースの内側からランプブラケットに分離可能に結合されるランプカバーと、ランプブラケットを設置穴に固定させる複数の係止突起とを具備する。係止突起はランプブラケットの前面縁部で弾性変形可能に突出して、内側ケースの厚さに対応する隙間をもつ。設置穴の各係止突起が嵌合される部位には設置穴の外側に延長形成された移動防止溝が設けられる。【選択図】図４
2005177460.tif 000002
【特許請求の範囲】
【請求項１】
食器を洗浄するためのキャビティと設置穴をもつ内側ケースと、前記内側ケースに設けられた設置穴に設置されて前記キャビティを照明するランプ組立体とを具備し、前記ランプ組立体は、
ランプを受容し、前記内側ケースの外側から前記設置穴に配置されるランプブラケットと、
前記内側ケースの内側から前記ランプブラケットに分離可能に結合されるランプカバーと、
前記ランプブラケットを前記設置穴に固定させる少なくとも一つの固定部材とを含むことを特徴とする食器洗浄機。
【請求項２】
前記少なくとも一つの固定部材は、前記ランプブラケットの前面縁部に弾性変形可能に突出形成され、前記内側ケースの厚さに対応する隙間をもつ複数の係止突起からなり、前記前面縁部が前記設置穴の周囲に密着された状態で、前記各係止突起が前記内側ケースに嵌合されて前記ランプブラケットを前記内側ケースに固定させることを特徴とする請求項１に記載の食器洗浄機。
【請求項３】
前記内側ケースには前記各係止突起が嵌合される部位に前記設置穴の外側に延長形成された一つまたはそれ以上の移動防止溝が設けられて、前記各係止突起が移動しないように制限することを特徴とする請求項２に記載の食器洗浄機。
【請求項４】
前記ランプブラケットはリング状からなり、前記設置穴は前記ランプブラケットの形状に対応して円形状に形成され、前記ランプブラケットの前面縁部が前記設置穴の周囲に密着された状態で、前記係止突起が前記各移動防止溝に配置されることを特徴とする請求項３に記載の食器洗浄機。
【請求項５】
前記ランプブラケットには横方向に連結されたリブが設置され、前記リブの中心部には前記ランプが着脱されるソケットが設置されることを特徴とする請求項３に記載の食器洗浄機。
【請求項６】
前記ランプカバーは外周面から垂直に延長されたフランジ部を具備し、前記ランプカバーの内周面が前記ランプブラケットの外周面に結合された状態で、前記フランジ部が前記設置穴の周囲に密着するように配置されることを特徴とする請求項３に記載の食器洗浄機。
【請求項７】
前記フランジ部と前記内側ケースとの間にはシーリングが配置されて、前記設置穴を通じて水が漏れることを防止することを特徴とする請求項６に記載の食器洗浄機。
【請求項８】
前記ランプブラケットの内周面には円周方向に配置された複数の第１結合突起が設けられ、前記ランプカバーの外周面には円周方向に沿って幅が広くなる複数の第２結合突起が設けられて、前記ランプカバーを前記ランプブラケットに嵌合させて回すと、前記第２結合突起が前記第１結合突起に引っかかったり外れたりして着脱されることを特徴とする請求項６に記載の食器洗浄機。
【請求項９】
前面が開放されて、食器を洗浄するためのキャビティと設置穴をもつ内側ケースと、
前記キャビティを照明するランプと、
前記内側ケースの設置穴に設置されて、前記ランプを簡単に取り替えできるようにランプを受容するランプ組立体とを含むことを特徴とする食器洗浄機。
【請求項１０】
前記ランプ組立体は、前記内側ケースの外側から前記設置穴に嵌合されて固定されるランプブラケットと、前記内側ケースの内側から前記ランプブラケットに分離可能に結合されるランプカバーとを含んでなることを特徴とする請求項９に記載の食器洗浄機。
【請求項１１】
前記ランプブラケットの前面縁部には、前記内側ケースの厚さに対応する隙間をもち弾性変形可能な複数の係止突起が一体で形成されて、前記前面縁部が前記設置穴の周囲に密着された状態で、前記各係止突起が前記内側ケースに嵌合されることにより、前記ランプブラケットを前記内側ケースに固定させることを特徴とする請求項１０に記載の食器洗浄機。
【請求項１２】
前記内側ケースには前記各係止突起が嵌合される部位に前記設置穴の外側に延長形成された一つまたはそれ以上の移動防止溝が設けられて、前記各係止突起が左右方向に移動しないように制限することを特徴とする請求項１１に記載の食器洗浄機。
【請求項１３】
前記ランプブラケットはリング状からなり、前記設置穴は前記ランプブラケットの形状に対応する円形状に形成されて、前記ランプブラケットの前面縁部が前記設置穴の周囲に密着された状態で、前記各係止突起が前記各移動防止溝に配置されることを特徴とする請求項１２に記載の食器洗浄機。
【請求項１４】
前記ランプブラケットには横方向に連結されたリブが設置され、前記リブの中心部には前記ランプが着脱されるソケットが設置されることを特徴とする請求項１０に記載の食器洗浄機。
【請求項１５】
設置穴と食器洗浄キャビティをもつ内側ケースを具備し、
ランプを受容する設置穴のランプブラケットと、
洗浄キャビティから前記ランプブラケットに着脱可能に結合されるランプカバーと、
ランプブラケットを設置穴に固定させる少なくとも一つの固定部材とを含むことを特徴とする食器洗浄機のランプ組立体。
【請求項１６】
前記ブラケットは略リング状の本体を具備し、
ブラケット胴体の前面と、
設置穴の直径と略同じ内周面と、前記内周面より大きい外周面とをもち、前記ブラケット胴体の前面から延長される前面縁部と、
前記ブラケット内部で胴体の両端を連結するリブとを含むことを特徴とする請求項１５に記載の組立体ランプ。
【請求項１７】
前記ブラケットはリブの中心部にランプを固定させるソケットをさらに含むことを特徴とする請求項１６に記載のランプ組立体。
【請求項１８】
前記ブラケットは、ブラケット胴体の内周面に複数の第１結合突起と、
それぞれ基底部と先端部を具備し、前記ランプブラケットを設置穴に固定させる複数の係止突起とを含むことを特徴とする請求項１７に記載のランプ組立体。
【請求項１９】
前記係止突起は“Ｌ”形状で、弾性変形可能であり、前面縁部の内周面から外周面に向けてそれぞれ突出して、前面縁部と先端部との間に内側ケースの厚さに対応する隙間を形成することを特徴とする請求項１８に記載のランプ組立体。
【請求項２０】
設置穴周囲に、前記係止突起の位置に対応する位置に移動防止溝をさらに含んでランプブラケットが移動することを防止することを特徴とする請求項１９に記載のランプ組立体。
【請求項２１】
移動防止溝が前記設置穴の外側に延長された長さは各係止突起がＬ形状の基底部から先端部まで延長された長さより短いことを特徴とする請求項２０に記載のランプ組立体。
【請求項２２】
係止突起が各移動防止溝と一致するように前面縁部を設置穴に密着させると、係止突起が弾性変形しながら移動防止溝を抜け出て、再び元通りに復元された後に内側ケースに嵌合されることを特徴とする請求項２１に記載のランプ組立体。
【請求項２３】
光が透過する材質からなるランプカバーは、
ランプブラケットに向けて後方が開放された円筒状の胴体と、
前記胴体の外周面から垂直に延長されたフランジ部とを含むことを特徴とする請求項２２に記載のランプ組立体。
【請求項２４】
ランプカバーは、胴体の開放された一端と前記フランジ部との間の外周面に、複数の第１結合突起にそれぞれ対応する位置に複数の第２結合突起をさらに含むことを特徴とする請求項２３に記載のランプ組立体。
【請求項２５】
第２結合突起は第１結合突起に比べて円周方向により長く形成され、
ランプカバーがランプブラケットに結合される方向に幅が次第に広くなる構造をもつことを特徴とする請求項２４に記載のランプ組立体。
【請求項２６】
ランプカバーと内側ケースの設置穴との間の隙間を通じて水が漏れることを防止するために、内側ケースとフランジ部との間に略リング状のシーリングを具備することを特徴とする請求項２５に記載のランプ組立体。
【請求項２７】
前記リング状のシーリングはゴムからなることを特徴とする請求項２６に記載のランプ組立体。
【請求項２８】
ランプカバーを設置穴に固定した後、第２結合突起の幅が広くなる第１方向に回すと、シーリングがフランジ部により内側ケースに密着されることを特徴とする請求項２６に記載のランプ組立体。
【発明の詳細な説明】
【技術分野】
【０００１】
本発明は、食器洗浄機に関し、特にランプを容易かつ迅速に取り替えできるように構成したランプ組立体を具備した食器洗浄機に関する。
【背景技術】
【０００２】
一般に、食器洗浄機は前面が開放されたボックス状からなり、内部に食器を洗浄するためのキャビティが設けられたハウジングと、前記ハウジングの開放された前面を開閉するドアとを具備して、キャビティに収納された食器を自動で洗浄する装置である。
【０００３】
通常的に、キャビティの上部と下部には食器が安定的にセットされて噴射される水により洗浄作用が行われるようになる上部食器バスケットと下部食器バスケットがそれぞれ設置され、キャビティの下部には洗浄水を集水する集水箱と洗浄水を循環させる洗浄水循環ポンプ、かつ洗浄水を排出させる排水ポンプがそれぞれ設置される。
【０００４】
なお、キャビティには洗浄水循環ポンプと連結された噴射ダクトを通じて流動する水を上部および下部食器バスケットに噴射させて食器を洗浄する複数の噴射ノズルが配置されており、排水ポンプの排出口には排水管が連結されて洗浄後に洗浄水を外部に排出させることになる。
【０００５】
したがって、洗浄水循環ポンプを作動させると、噴射ダクトを通じて噴射ノズルに供給された水が噴射ノズルから複数の方向に噴射されることにより、上部および下部食器バスケットにセットされた食器が洗浄され、洗浄後に排水ポンプが作動すると洗浄水が外部に排出されることになる。
【０００６】
このような食器洗浄機は主にキッチンのシンク台の下部に設置されて、洗浄後にドアを開けるとキャビティの内部が暗くてよく見えないため、洗浄し終わった食器を取り出す作業が非常に不便な上に、取り出し過程で食器を落として割ってしまう可能性がある。
【０００７】
したがって、キャビティの内部を照明するためには、キャビティを形成するハウジングの内側板にランプを設置しなければならない。ところが、ハウジングの内側板は薄い板でできているために、ランプの収容されたランプ組立体を設置することが非常に難しく、かつランプの内蔵されたランプ組立体がキャビティに設置されてもランプを取り替えできる構造にすることが大変難しいという短所がある。
【発明の開示】
【発明が解決しようとする課題】
【０００８】
従って、本発明は、前述した従来の問題点を解決するために案出されたものであり、キャビティを照明するためのランプを容易かつ迅速に取り替えできるランプ組立体を具備した食器洗浄機を提供することにその目的がある。
【課題を解決するための手段】
【０００９】
前記目的を達成するために、本発明の食器洗浄機は、食器を洗浄するためのキャビティと設置穴をもつ内側ケースと、前記内側ケースに設けられた設置穴に設置されて前記キャビティを照明するランプ組立体とを具備し、前記ランプ組立体は、ランプを受容し、前記内側ケースの外側から前記設置穴に配置されるランプブラケットと、前記内側ケースの内側から前記ランプブラケットに分離可能に結合されるランプカバーと、前記ランプブラケットを前記設置穴に固定させる少なくとも一つの固定部材とを含むことを特徴とする。
【００１０】
前記少なくとも一つの固定部材は、前記ランプブラケットの前面縁部に弾性変形可能に突出形成され、前記内側ケースの厚さに対応する隙間をもつ複数の係止突起からなり、前記前面縁部が前記設置穴の周囲に密着された状態で、前記各係止突起が前記内側ケースに嵌合されて前記ランプブラケットを前記内側ケースに固定させることを特徴とする。
【００１１】
前記内側ケースには前記各係止突起が嵌合される部位に前記設置穴の外側に延長形成された一つまたはそれ以上の移動防止溝が設けられて、前記各係止突起が移動しないように制限することを特徴とする。
【００１２】
前記ランプブラケットはリング状からなり、前記設置穴は前記ランプブラケットの形状に対応して円形状に形成され、前記ランプブラケットの前面縁部が前記設置穴の周囲に密着された状態で、前記係止突起が前記各移動防止溝に配置されることを特徴とする。
【００１３】
前記ランプブラケットには横方向に連結されたリブが設置され、前記リブの中心部には前記ランプが着脱されるソケットが設置されることを特徴とする。
【００１４】
前記ランプカバーは外周面から垂直に延長されたフランジ部を具備し、前記ランプカバーの内周面が前記ランプブラケットの外周面に結合された状態で、前記フランジ部が前記設置穴の周囲に密着するように配置されることを特徴とする。
【００１５】
前記フランジ部と前記内側ケースとの間にはシーリングが配置されて、前記設置穴を通じて水が漏れることを防止することを特徴とする。
【００１６】
前記ランプブラケットの内周面には円周方向に配置された複数の第１結合突起が設けられ、前記ランプカバーの外周面には円周方向に沿って幅が広くなる複数の第２結合突起が設けられて、前記ランプカバーを前記ランプブラケットに嵌合させて回すと、前記第２結合突起が前記第１結合突起に引っかかったり外れたりして着脱されることを特徴とする。
【発明の効果】
【００１７】
本発明に係る食器洗浄機は、ランプブラケットが内側ケースに固定され、ランプカバーがランプブラケットに着脱容易に結合される構造からなるため、ランプの取り替えを容易かつ迅速に行うことができて、使用者の便宜性が向上される効果がある。
【発明を実施するための最良の形態】
【００１８】
以下、本発明に係る好ましい実施形態を添付図面を参照しつつ詳細に説明する。尚、本発明を説明するにおいて、同一の参照符号は同一の構成要素のことを示す。
【００１９】
図１および図２は、本発明によるランプ組立体が設置された食器洗浄機の構造を示した概略図である。図示したように、本発明による食器洗浄機は前面が開放されたボックス状の本体１と、前記本体１の開放された前面を開閉するドア５とを具備することにより外観を形成している。
【００２０】
本体１は食器を洗浄するための空間またはキャビティ４を形成する内側ケース２と、前記内側ケース２を取り囲む外側ケース３とからなる。
【００２１】
内側ケース２には少なくとも一つの食器バスケット６が前後方向に移動可能に配置されており、キャビティ２の下部には集水箱７と洗浄水循環ポンプ８、かつ排水ポンプ９が配置されている。
【００２２】
洗浄水循環ポンプ８は連結管１０を通じて集水箱７に集水された水を複数の噴射ノズル１１にポンピングして噴射ノズル１１から水を噴射させることにより食器を洗浄する。
【００２３】
洗浄前と洗浄後にドア５を開放するとき、内側ケース２の内部、すなわちキャビティ４を明るく照らして食器の出し入れを容易にするために、内側ケース２の一側にはランプ組立体２０が設けられているが、前記ランプ組立体２０の構成および組立構造に対しては図３および図４を参照して説明することにする。
【００２４】
図３はランプ組立体２０を分解した状態を示した斜視図であり、図４はランプ組立体２０が食器洗浄機の内側ケースに結合された状態を示した断面図である。図示したように、内側ケース２にはランプ組立体２０を設置して内側ケース２の内部を明るく照らすための設置穴１２が設けられる。
【００２５】
ランプ組立体２０は、ランプ２２を受容し、内側ケース２の外側から設置穴１２に嵌着されるランプブラケット３０と、内側ケース２の内側に前記ランプブラケット３０に着脱可能に結合されて、ランプブラケット３０に水が飛び込むことを防止すると同時に、ランプ２２から発散する光を内側ケース２に投射させるランプカバー４０とを具備する。
【００２６】
ランプブラケット３０は、略リング状に形成された胴体３１と、前記胴体３１の前面から外側に一定長さだけ延長形成された前面縁部３２と、前記胴体３１の内部で胴体３１の両端を連結して配置されるリブ３３とを具備する。前記リブ３３の中心部にはランプ２２を着脱容易に固定させるソケット２１が設置される。
【００２７】
胴体３１の内周面には一定間隔で配置されてランプカバー４０をランプブラケット３０に着脱するための複数の第１結合突起３４が設置されており、前面縁部３２にはランプブラケット３０を内側ケース２の設置穴１２に固定させるための固定部材として機能する複数の係止突起５０が一定間隔で配置されている。
【００２８】
前記係止突起５０は円型に形成された前記設置穴１２の直径と略同じ内径をもつ前面縁部３２の内周面から突出して外周面に向けて延長形成されて、前面縁部３２との間に内側ケース２の厚さに対応する隙間を形成させる。すなわち、係止突起５０は前面縁部３２の内周面に弾性変形可能な状態で一体に突出形成されて略“Ｌ”形状をなすようになる。
【００２９】
かつ、設置穴１２には前記複数の係止突起５０の配置間隔と同一な間隔で配置された移動防止溝１３が形成されて、ランプブラケット３０が係止突起５０により設置穴１２に固定された状態でランプブラケット３０を握って回してもランプブラケット３０が移動しないように制限する。
【００３０】
本発明の実施形態において、前記各移動防止溝１３が前記設置穴１２の外側に延長された長さを、係止突起５０が前面縁部３２の内周面から外周面に向けて延長された長さよりやや短くして、係止突起５０が移動防止溝１３で内側ケース２に嵌められるようにする。
【００３１】
したがって、前記複数の係止突起５０が各移動防止溝１３に一致した状態で、ランプブラケット３０の前面縁部３２を設置穴１２の周囲に密着させると、係止突起５０が弾性変形しながら移動防止溝１３を抜け出て、再び元通りに復元された後に内側ケース２に嵌合されることになる。その結果、ランプブラケット３０が設置穴１２に固定されて、前記状態でランプブラケット３０は移動防止溝１３に係止されて移動しなくなる。
【００３２】
光が透過する材質からなるランプカバー４０は、ランプブラケット３０に向けて後方が開放された円筒状の胴体４１と、前記胴体４１の外周面から垂直に延長されたフランジ部４２とを具備する。
【００３３】
胴体４１の開放された一端と前記フランジ部４２との間の外周面には、ランプブラケット３０の胴体３１の内周面に設けられた複数の第１結合突起３４に対応する位置に複数の第２結合突起４３が一定間隔で配置されている。
【００３４】
前記第２結合突起４３は第１結合突起３４に比べて円周方向に行くほど段々長く形成されて、ランプカバー４０がランプブラケット３０に結合される方向に幅が段々広くなる構造をもっている。
【００３５】
なお、ランプカバー４０と設置穴１２との間の隙間を通じて水が漏れることを防止するために、内側ケース２とフランジ部４２との間にはゴムのような材質で形成されたリング状のシーリング２３が配置される。
【００３６】
したがって、複数の第２結合突起４３の間に形成された溝４４がランプブラケット３０の第１結合突起３４にそれぞれ一致した状態で、ランプカバー４０を設置穴１２に固定されたランプブラケット３０に嵌合させた後、第２結合突起４３の幅が広くなる方向にランプカバー４０を回すと、第２結合突起４３の一番幅の広い部分が第１結合突起３４に密着固定される。その結果、内側ケース２の設置穴１２とランプカバー４０との間に隙間が形成できなくなる。
【００３７】
前記のようにランプカバー４０がランプブラケット３０に結合された状態で、ランプブラケット３０に設置されたランプ２２を取り替えるためにランプカバー４０を前記と逆方向に回すと、第２結合突起４３が第１結合突起３４に密着された状態で解除されて、ランプカバー４０の各溝４４が第１結合突起３４と一致された状態でランプカバー４０がランプブラケット３０から分離されることになる。
【００３８】
このようにランプカバー４０がランプブラケット３０から分離された状態で、ランプブラケット３０は係止突起５０により内側ケース２に固定された状態で保持され、よってランプ２２をソケット２１から取り外すことができる。
【００３９】
以上前述したように、本発明による食器洗浄機はランプブラケットが内側ケースに固定され、ランプカバーがランプブラケットに着脱容易に結合される構造からなるため、ランプの取り替えを容易かつ迅速に行うことができて、使用者の便宜性が向上される効果がある。
【００４０】
以上、本発明の実施の形態を具体的に説明してきたが、本発明の思想を外れない範囲内で様々な変形が可能であることは当業者にとって自明であり、従って、本発明の範囲は特許請求の範囲及びその請求の範囲と均等なものによって定められるべきである。
【図面の簡単な説明】
【００４１】
【図１】本発明による食器洗浄機において、ドアが開放された状態の外観を示した概略図である。
【図２】図１に示すＩＩ−ＩＩ線による断面図である。
【図３】図２に示すランプ組立体を分解した斜視図である。
【図４】ランプ組立体が食器洗浄機の内側ケースに結合された状態を示した断面図である。
【符号の説明】
【００４２】
２：内側ケース                       １２：設置穴
１３：移動防止溝                     ２０：ランプ組立体
２２：ランプ                         ２３：シーリング
３０：ランプブラケット               ３４：第１結合突起
４０：ランプカバー                   ４３：第２結合突起
５０：係止突起
【図１】
2005177460.tif 000003
【図２】
2005177460.tif 000004
【図３】
2005177460.tif 000005
【図４】
2005177460.tif 000006